(57)【要約】      （修正有）【課題】弾性挟持片が脱落防止され且つ一人でサーバーシャーシのスライドレールの組付けが行なえ、組付け時の便利性が増されたサーバーシャーシのスライドレール固定装置の提供。【解決手段】弾性挟持片２がサーバーシャーシのスライドレール１の組付け片１１に挿嵌され、並びに弾性挟持片２の係合突起の傾斜面に沿って対応するよう挿入され、このとき弾性挟持片２の貫通孔が組付け片１１の組付け孔１１１に対応し、並びに係合突起が組付け孔１１１に係合し、弾性挟持片２の固定構造２２１が組付け孔１１１に対応し、且つ弾性挟持片２の弾性係止縁が組付け片１１の位置決め孔１１２に対応し係合位置決めされる。この簡易化設計により、弾性挟持片２が直接サーバーシャーシのスライドレール１の組付け片１１に挿嵌され、並びに係合突起と弾性係止縁が組付け孔１１１と位置決め孔１１２に対応し係合する。【選択図】図３
2006013410.tif 000002
【特許請求の範囲】
【請求項１】
サーバースライドレールと弾性挟持片を具え、
該サーバースライドレールは少なくとも一端が折り曲げられて組付け片が形成され、該組付け片に少なくとも一つの組付け孔、及び一つの位置決め孔が開設され、
該弾性挟持片は左挟持片、右挟持片、及び挟持片開口を具え、そのうち左挟持片に貫通する少なくとも一つの貫通孔が設けられ、少なくとも一つの貫通孔の内周に内向きに突出する係合突起が設けられ、係合突起が挟持片開口に向けて漸次低くなるよう傾斜して傾斜面を形成し、該左挟持片に外向きに突出する位置決め柱が設けられ、右挟持片は少なくとも一つの固定構造を具え、この少なくとも一つの固定構造は左挟持片の少なくとも一つの貫通孔に対応し、該右挟持片に別に内向きに弾性係止縁が凸設され、
該弾性挟持片がその挟持片開口によりサーバースライドレールの組付け片に挿嵌され、並びに係合突起の傾斜面に沿って滑入され、左挟持片の少なくとも一つの貫通孔が組付け片の少なくとも一つの組付け孔に対応して少なくとも一つの組付け孔内に嵌合し、右挟持片の少なくとも一つの固定構造が組付け片の少なくとも一つの組付け孔に対応し、並びに右挟持片の弾性係止縁が組付け片の位置決め孔に対応し係合し、右挟持片の弾性係止縁が該組付け片の位置決め孔に対応し係合することを特徴とする、サーバーシャーシのスライドレール固定装置。
【請求項２】
請求項１記載のサーバーシャーシのスライドレール固定装置において、サーバースライドレールがサーバーシャーシ内に組付けられ、該サーバーシャーシが少なくとも一つの支柱を具え、該支柱に複数の調整孔が開設され、前記左挟持片の位置決め柱がそのうち一つの調整孔内に対応し挿入されることを特徴とする、サーバーシャーシのスライドレール固定装置。
【請求項３】
請求項１記載のサーバーシャーシのスライドレール固定装置において、前記弾性挟持片が折り辺を具え、該折り辺は前記挟持片開口の反対側に位置し、並びに左挟持片と右挟持片の間に接続され、該折り辺に少なくとも一つの穿孔が開設されたことを特徴とする、サーバーシャーシのスライドレール固定装置。
【請求項４】
請求項１記載のサーバーシャーシのスライドレール固定装置において、組付け片の少なくとも一つの組付け孔が楕円孔とされたことを特徴とする、サーバーシャーシのスライドレール固定装置。
【請求項５】
請求項１記載のサーバーシャーシのスライドレール固定装置において、組付け片の位置決め孔が楕円孔とされたことを特徴とする、サーバーシャーシのスライドレール固定装置。
【請求項６】
請求項１記載のサーバーシャーシのスライドレール固定装置において、右挟持片の少なくとも一つの固定構造が雌ネジ柱とされたことを特徴とする、サーバーシャーシのスライドレール固定装置。
【発明の詳細な説明】
【技術分野】
【０００１】
本発明は一種の固定装置に係り、特にサーバーシャーシのスライドレール固定装置に関する。
【背景技術】
【０００２】
一般にサーバーシャーシには、複数の異なる形式のサーバーが積み重ねられて設置され、且つ一般に１Ｕ、２Ｕ・・・がその単位とされ、サーバーをサーバーシャーシ内に組み付ける時は、サーバースライドレールをシャーシの縦向き柱に組み付けてから、サーバーをサーバースライドレールに螺子止めする。
【０００３】
このほか、一般標準規格において、サーバーシャーシの縦向き柱には複数の矩形の横向き貫通孔が開設され、サーバースライドレールの端部に開設された組付け孔は円形孔とされ、これにより固定片を矩形孔と円形孔の変換インタフェースとする必要がある。
【０００４】
図１は周知の固定片の組付け表示図である。図１には固定片９１、支柱９２、サーバースライドレール９３が示され、且つ固定片９３は支柱９２の横向き貫通孔９２１とサーバースライドレール９３の円形孔９３１の固定手段とされる。注意すべきことは、伝統的な組付け方式では二人以上が先ず固定片９１とサーバースライドレール９３を支持し、並びにそれを支柱９２に当接させた後でなければ、サーバースライドレール９３をネジ９４で固定する組付け作業が行なえなかった。このため、伝統的な組付け作業においては、固定片９１が非常に容易に脱落しやすく組付けが極めて困難となるため、二人以上でなければ組付けを完成できず、時間と手間がかかり、理想的でなかった。
【発明の開示】
【発明が解決しようとする課題】
【０００５】
本発明の主要な目的は、従来の技術の問題を解決した一種のサーバーシャーシのスライドレール固定装置を提供することにある。それは、サーバースライドレールと弾性挟持片を具えている。そのうち、サーバースライドレールは少なくとも一端が折り曲げられて組付け片が形成され、且つ該組付け片に少なくとも一つの組付け孔、及び一つの位置決め孔が開設される。
【０００６】
このほか、弾性挟持片は左挟持片、右挟持片、及び挟持片開口を具え、そのうち左挟持片に貫通する少なくとも一つの貫通孔が設けられ、少なくとも一つの貫通孔の内周に内向きに突出する係合突起が設けられ、係合突起が挟持片開口に向けて漸次低くなるよう傾斜して傾斜面を形成している。このほか、左挟持片に外向きに突出する位置決め柱が設けられ、且つ右挟持片が少なくとも一つの固定構造を具え、この少なくとも一つの固定構造は左挟持片の少なくとも一つの貫通孔に対応し、また右挟持片に別に内向きに弾性係止縁が凸設される。
【０００７】
組付け時には、弾性挟持片がその挟持片開口によりサーバースライドレールの組付け片に挿嵌され、並びに係合突起の傾斜面に沿って滑入し、これと同時に、左挟持片の少なくとも一つの貫通孔が組付け片の少なくとも一つの組付け孔に対応して少なくとも一つの組付け孔内に嵌合し、右挟持片の少なくとも一つの固定構造が組付け片の少なくとも一つの組付け孔に対応し、並びに右挟持片の弾性係止縁が組付け片の位置決め孔に対応し係合する。
【０００８】
上述の簡易化構造設計により、弾性挟持片が直接サーバースライドレールの組付け片に挿嵌され、並びに弾性挟持片の係合突起と弾性係止縁が組付け片の組付け孔と位置決め孔に対応し係合し、これにより弾性挟持片の脱落が防止され、且つ組付けと同時に、一人でサーバースライドレールの組付け作業が行なえ、これにより組付け時の便利性が増す。
【課題を解決するための手段】
【０００９】
請求項１の発明は、サーバースライドレールと弾性挟持片を具え、
該サーバースライドレールは少なくとも一端が折り曲げられて組付け片が形成され、該組付け片に少なくとも一つの組付け孔、及び一つの位置決め孔が開設され、
該弾性挟持片は左挟持片、右挟持片、及び挟持片開口を具え、そのうち左挟持片に貫通する少なくとも一つの貫通孔が設けられ、少なくとも一つの貫通孔の内周に内向きに突出する係合突起が設けられ、係合突起が挟持片開口に向けて漸次低くなるよう傾斜して傾斜面を形成し、該左挟持片に外向きに突出する位置決め柱が設けられ、右挟持片は少なくとも一つの固定構造を具え、この少なくとも一つの固定構造は左挟持片の少なくとも一つの貫通孔に対応し、該右挟持片に別に内向きに弾性係止縁が凸設され、
該弾性挟持片がその挟持片開口によりサーバースライドレールの組付け片に挿嵌され、並びに係合突起の傾斜面に沿って滑入され、左挟持片の少なくとも一つの貫通孔が組付け片の少なくとも一つの組付け孔に対応して少なくとも一つの組付け孔内に嵌合し、右挟持片の少なくとも一つの固定構造が組付け片の少なくとも一つの組付け孔に対応し、並びに右挟持片の弾性係止縁が組付け片の位置決め孔に対応し係合し、右挟持片の弾性係止縁が該組付け片の位置決め孔に対応し係合することを特徴とする、サーバーシャーシのスライドレール固定装置としている。
請求項２の発明は、請求項１記載のサーバーシャーシのスライドレール固定装置において、サーバースライドレールがサーバーシャーシ内に組付けられ、該サーバーシャーシが少なくとも一つの支柱を具え、該支柱に複数の調整孔が開設され、前記左挟持片の位置決め柱がそのうち一つの調整孔内に対応し挿入されることを特徴とする、サーバーシャーシのスライドレール固定装置としている。
請求項３の発明は、請求項１記載のサーバーシャーシのスライドレール固定装置において、前記弾性挟持片が折り辺を具え、該折り辺は前記挟持片開口の反対側に位置し、並びに左挟持片と右挟持片の間に接続され、該折り辺に少なくとも一つの穿孔が開設されたことを特徴とする、サーバーシャーシのスライドレール固定装置としている。
請求項４の発明は、請求項１記載のサーバーシャーシのスライドレール固定装置において、組付け片の少なくとも一つの組付け孔が楕円孔とされたことを特徴とする、サーバーシャーシのスライドレール固定装置としている。
請求項５の発明は、請求項１記載のサーバーシャーシのスライドレール固定装置において、組付け片の位置決め孔が楕円孔とされたことを特徴とする、サーバーシャーシのスライドレール固定装置としている。
請求項６の発明は、請求項１記載のサーバーシャーシのスライドレール固定装置において、右挟持片の少なくとも一つの固定構造が雌ネジ柱とされたことを特徴とする、サーバーシャーシのスライドレール固定装置としている。
【発明の効果】
【００１０】
本発明のサーバーシャーシのスライドレール固定装置は、弾性挟持片がサーバーシャーシのスライドレールの組付け片に挿嵌され、並びに弾性挟持片の係合突起の傾斜面に沿って対応するよう挿入され、このとき弾性挟持片の貫通孔が組付け片の組付け孔に対応し、並びに係合突起が組付け孔に係合し、弾性挟持片の固定構造が組付け孔に対応し、且つ弾性挟持片の弾性係止縁が組付け片の位置決め孔に対応し係合位置決めされる。この簡易化設計により、弾性挟持片が直接サーバーシャーシのスライドレールの組付け片に挿嵌され、並びに係合突起と弾性係止縁が組付け孔と位置決め孔に対応し係合し、これにより弾性挟持片が脱落防止され且つ一人でサーバーシャーシのスライドレールの組付けが行なえ、組付け時の便利性が増される。
【発明を実施するための最良の形態】
【００１１】
図２は本発明の第１実施例の実施状態表示図である。それはサーバーシャーシ３が示され、且つこのサーバーシャーシ３の四つの角部にはそれぞれ支柱３１があり、且つ二つの対応する支柱３１の間にサーバースライドレール１が組付けられ、サーバー（図示せず）が直接サーバースライドレール１の上に固定される。サーバースライドレール１のサーバーシャーシ３の支柱３１への組付け方式は完全に同じであるため、以下にその一辺について代表して説明を行なう。
【００１２】
図３は本発明の第１実施例の立体分解図であり、サーバースライドレール１と弾性挟持片２が示されている。サーバースライドレール１の一端は折り曲げられて組付け片１１が形成され、且つ該組付け片１１に二つの組付け孔１１１、及び一つの位置決め孔１１２が開設されている。そのうち二つの組付け孔１１１はそれぞれ位置決め孔１１２の上下両側に位置し、本実施例では、組付け孔１１１と位置決め孔１１２はそれぞれ楕円孔とされている。
【００１３】
図３と共に図４の本発明の第１実施例の弾性挟持片の左挟持片の立体図、及び図５の本発明の第１実施例の弾性挟持片の右挟持片の立体図を参照されたい。上述の弾性挟持片２は左挟持片２１、右挟持片２２、挟持片開口２３、及び折り辺２４を具え、且つ左挟持片２１の上下両側に貫通孔２１１が設けられ、上下二つの貫通孔２１１の内周に右挟持片２２に向けて突出する係合突起２１２が設けられ、貫通孔２１１の係合突起２１２はまた挟持片開口２３に向けて次第に低下するよう傾斜し傾斜面２１３を形成している。
【００１４】
このほか、弾性挟持片２の左挟持片２１に別に外向きに突出する位置決め柱２１４が設けられ、また弾性挟持片２の右挟持片２２に二つの固定構造２２１が設けられ、それは右挟持片２２の上下二側に位置し並びにそれぞれ左挟持片２１の二つの貫通孔２１１に対応し、右挟持片２２に別に左挟持片２１に向けて突出する弾性係止縁２２２が設けられ、本実施例では右挟持片２２の二つの固定構造２２１は雌ネジ柱とされている。
【００１５】
このほか、弾性挟持片２の折り辺２４は弾性挟持片２の挟持片開口２３の反対側に位置し、且つ折り辺２４は左挟持片２１と右挟持片２２の間に接続され、また折り辺２４に三つの穿孔２４１が開設され、これにより弾性挟持片２が折り曲げ容易とされている。
【００１６】
図３、４、５、及び図６の本発明の第１実施例の断面図（一）、及び図７の本発明の第１実施例の断面図（二）を参照されたい。組付け時には、弾性挟持片２はその挟持片開口２３でサーバースライドレール１の組付け片１１に挿嵌され、この時、左挟持片２１の貫通孔２１１の係合突起２１２の傾斜面２１３が順調に組付け片１１に対応し滑入され、即ち左挟持片２１の二つの貫通孔２１１が組付け片１１の二つの組付け孔１１１に対応し滑入し、並びにその係合突起２１２が二つの組付け孔１１１内に係合し、これと同時に、右挟持片２２の二つの固定構造２２１もまた組付け片１１の二つの組付け孔１１１に対応し、且つ右挟持片２２の弾性係止縁２２２もまた組付け片１１の位置決め孔１１２に対応し係合する。注意すべきことは、組付け片１１の組付け孔１１１と位置決め孔１１２は楕円孔とされ、ゆえに弾性挟持片２が組付け片１１上で微調整の作用を形成可能であることであり、当然、組付け片１１の組付け孔１１１或いは位置決め孔１１２は円孔、方形孔とされうる。
【００１７】
図２から図７を参照されたい。その後、サーバースライドレール１と弾性挟持片２がサーバーシャーシ３の支柱３１に組付けられる。この時、支柱３１には複数の円形の調整孔３１１が開設され、弾性挟持片２の左挟持片２１の位置決め柱２１４がそのうちの一つの調整孔３１１内に挿入され、サーバースライドレール１が支柱３１に固定され、その後、更に二つのネジ４が支柱３１の調整孔３１１、及び弾性挟持片２の左挟持片２１の貫通孔２１１に挿通された後、更に弾性挟持片２の右挟持片２２の固定構造２２１の雌ネジ柱内にねじ込まれる。
【００１８】
注意すべきことは以下のことである。即ち、上述の組付け過程中に、弾性挟持片２は直接サーバースライドレール１の組付け片１１に挿嵌され、並びに弾性挟持片２の係合突起２１２と弾性係止縁２２２が組付け片１１の組付け孔１１１と位置決め孔１１２に対応し係合し、これにより弾性挟持片２の脱落が防止され、且つ組付けと同時に、一人でサーバースライドレール１の組付け作業を行なえ、これにより組付け時の便利性が増す。
【００１９】
図８は本発明の第２実施例の立体分解図である。その主要な構造は上述の第１実施例と同じであるが、違いは第２実施例では支柱５１の調整孔５１１が方形とされ、並びに固定片５２が変換インタフェースとされ、固定片５２の上下二側に外向きにフランジ５２１が凹設され、それが直接方形を呈する調整孔５１１に接合され、弾性挟持片５３の位置決め柱５３１が固定片５３中間の位置決め孔５２２内に挿入されて位置決めされることである。
【００２０】
図９は本発明の第３実施例の立体分解図である。その主要な構造は上述の第２実施例と同じであるが、第３実施例では使用する固定片５２が固定クリップ６１に改められ、それは支柱６２の方形を呈する調整孔６２１に挟設され、且つ固定クリップ６１に位置決め孔６１１が開設され、弾性挟持片６３の位置決め柱６３１が固定クリップ６１中間の位置決め孔６１１内に挿入されて位置決めされる。
【００２１】
以上から分かるように、第１実施例において、サーバーシャーシ３の支柱３１には複数の円形の調整孔３１１が開設され、第２、第３実施例ではその支柱５１、６２には複数の方形の調整孔５１１、６２１が開設され、調整孔が円形或いは方形のいずれであっても上述の各種機能を達成できる。
【００２２】
以上の実施例は本発明の範囲を限定するものではなく、本発明に基づきなしうる細部の修飾或いは改変は、いずれも本発明の請求範囲に属するものとする。
【図面の簡単な説明】
【００２３】
【図１】周知の固定片の組付け表示図である。
【図２】本発明の第１実施例の実施状態表示図である。
【図３】本発明の第１実施例の立体分解図である。
【図４】本発明の第１実施例の弾性挟持片の左挟持片の立体図である。
【図５】本発明の第１実施例の弾性挟持片の右挟持片の立体図である。
【図６】本発明の第１実施例の断面図（一）である。
【図７】本発明の第１実施例の断面図（二）である。
【図８】本発明の第２実施例の立体分解図である。
【図９】本発明の第３実施例の立体分解図である。
【符号の説明】
【００２４】
１  サーバースライドレール            １１  組付け片
１１１  組付け孔                      １１２  位置決め孔
２  弾性挟持片                        ２１  左挟持片
２１１  貫通孔                        ２１２  係合突起
２１３  傾斜面                        ２１４  位置決め柱
２２  右挟持片                        ２２１  固定構造
２２２  弾性係止縁                    ２３  挟持片開口
２４  折り辺                          ２４１  穿孔
３  サーバーシャーシ                  ３１  支柱
３１１  調整孔                        ４  ネジ
５１  支柱                            ５１１  調整孔
５２  固定片                          ５２１  フランジ
５２２  位置決め孔                    ５３  弾性挟持片
５３１  位置決め柱                    ６１  固定クリップ
６１１  位置決め孔                    ６２  支柱
６２１  調整孔                        ６３  弾性挟持片
６３１  位置決め柱                    ９１  固定片
９２  支柱                            ９２１  横向き貫通孔
９３  サーバースライドレール          ９４  ネジ
【図１】
2006013410.tif 000003
【図２】
2006013410.tif 000004
【図３】
2006013410.tif 000005
【図４】
2006013410.tif 000006
【図５】
2006013410.tif 000007
【図６】
2006013410.tif 000008
【図７】
2006013410.tif 000009
【図８】
2006013410.tif 000010
【図９】
2006013410.tif 000011